(57)【要約】      （修正有）【課題】高齢者等に積極的に話しかけ、行動を促し、健康状況の把握・活性化可能な高齢者等見守システムを提供する。【解決手段】高齢者等見守りシステムにおいて、体データ取得のために体データ取得デバイスと接続する接続部と、接続されている状態で前記体データを取得する体データ取得部と、取得した体データと過去取得した体データを複数保持する履歴体データ保持部と、保持されている体データを出力する体データ出力部と、前記接続を検知する接続検知部と、複数の会話データを保持する会話データ保持部と、接続検知部が接続を検知した場合に保持されている会話データを選択する会話データ選択部と、選択された会話データを接続から所定時間内に出力する会話データ出力部と、を有する。【選択図】図１
2020177383.tif 000002
【特許請求の範囲】
【請求項１】
体データ取得のために体データ取得デバイスと接続する接続部と、
接続されている状態で前記体データを取得する体データ取得部と、
取得した体データと過去取得した体データを複数保持する履歴体データ保持部と、
保持されている体データを出力する体データ出力部と、
前記接続を検知する接続検知部と、
複数の会話データを保持する会話データ保持部と、
接続検知部が接続を検知した場合に保持されている会話データを選択する会話データ選択部と、
選択された会話データを接続から所定時間内に出力する会話データ出力部と、
を有する高齢者等見守システム。
【請求項２】
会話データ選択部は、取得された体データに基づいて会話データを選択する取得体データ依存会話データ選択手段を有する請求項１に記載の高齢者等見守システム。
【請求項３】
会話データ選択部は、保持されている体データに基づいて会話データを選択する保持体データ依存会話データ選択手段を有する請求項１又は請求項２に記載の高齢者等見守システム。
【請求項４】
複数の画像データを保持する画像データ保持部と、
接続検知部が接続を検知した場合に保持されている画像データを選択する画像データ選択部と、
選択された画像データを接続から所定時間内に出力する画像データ出力部と、
を有する請求項１から請求項３のいずれか一に記載の高齢者等見守システム。
【請求項５】
画像データ選択部は、取得された体データに基づいて画像データを選択する取得体データ依存画像データ選択手段を有する請求項４に記載の高齢者等見守システム。
【請求項６】
画像データ選択部は、保持されている体データに基づいて画像データを選択する保持体データ依存画像データ選択手段を有する請求項４又は請求項５に記載の高齢者等見守システム。
【請求項７】
インターネットを介した通信を行う通信部と、
通信部を介して会話データ又は／及び画像データを取得するデータ取得部と、
取得した会話データ又は／及び画像データを会話データ保持部又は／及び画像データ保持部に記録するデータ記録部と、
を有する請求項４から請求項６のいずれか一に記載の高齢者等見守システム。
【請求項８】
会話データ出力部又は／及び画像データ出力部を構成する音声出力機器又は画像出力機器の正面付近の画像又は／及び音声を撮影し又は／及び録音する撮影録音部と、
撮影又は／及び録音した画像又は／及び音声を保持する撮影録音保持部と、
保持されている画像又は／及び音声を通信部を介して出力する撮影録音出力部と、
を有する請求項７に記載の高齢者等見守システム。
【請求項９】
保持されている会話データ又は／及び画像データは、選択されるための属性情報が関連付けられており、
会話データ又は／及び画像データは、関連付けられている属性情報に応じて会話データ選択部又は／及び画像データ選択部にて選択される請求項２に従属する請求項４に従属する請求項５から請求項８のいずれか一に記載の高齢者等見守システム。
【請求項１０】
取得した会話データ又は／及び取得した画像データを分析して属性情報を関連付ける属性関連付部をさらに有する請求項９に記載の高齢者等見守システム。
【請求項１１】
さらに、体データを体から取得する体データ取得デバイスを有する請求項１から請求項１０のいずれか一に記載の高齢者等見守システム。
【請求項１２】
体データ取得デバイスとの接続を検知する接続検知ステップと、
接続検知ステップにて接続が検知された場合に前記体データ取得デバイスから体データを取得する体データ取得ステップと、
体データ取得ステップにて取得した体データを記録する体データ記録ステップと、
接続検知ステップにて接続を検知した場合に保持されている会話データを選択する会話データ選択ステップと、
会話データ選択ステップにて選択された会話データを接続から所定時間内に出力する会話データ出力ステップと、
を有する計算機である高齢者等見守システムの動作方法。
【請求項１３】
体データ取得デバイスとの接続を検知する接続検知ステップと、
接続検知ステップにて接続が検知された場合に体データを取得する体データ取得ステップと、
体データ取得ステップにて取得した体データを記録する体データ記録ステップと、
接続検知ステップにて接続を検知した場合に保持されている会話データを選択する会話データ選択ステップと、
会話データ選択ステップにて選択された会話データを接続から所定時間内に出力する会話データ出力ステップと、
を有する計算機である高齢者等見守システムに読取り実行可能に記述した高齢者等見守システムの動作プログラム。
【発明の詳細な説明】
【技術分野】
【０００１】
本発明は、高齢者等見守システムに関し、特に独居高齢者等に行動を促して健康状況の把握・活性化に好適な見守システムに関する。
【背景技術】
【０００２】
従来、高齢者等の見守システムとしては、高齢者等の自宅にセンサを設置し、そのセンサで高齢者等の行動をセンシングし、行動が検出されないとき、異常として登録された家族等（息子や娘）などにメールを通知させるものがあった。
【０００３】
また、安否確認サービスとしては、独居老人等の見守り対象者の自宅に安否確認装置が設置され、安否確認装置が見守り対象者の選択した行動を家族等に通知するものが知られている。この安否確認装置では、装置のタッチパネルに見守り対象者の行動を表したボタンが表示され、見守り対象者が食事や外出などの行動時に該当するボタンを選択すると、その選択項目に対応する通知情報が生成され、見守り対象者の家族等の情報端末にメールを送信する。この通知情報を含むメールを受信した家族等は、離れていても見守り対象者の行動をリアルタイムに把握することができるものであった（特許文献１）。
【０００４】
他の例としては、活動量計等の近距離通信装置を被観察者に装着してもらい、トイレに置かれた安否情報受信・転送装置により被観察者の近距離通信装置を感知してトイレの入室、出室を判断し、安否情報を見守り者に知らせるものが挙げられる（特許文献２）。
【０００５】
他の例としては、一人暮らしの老人などの健康状態をモニターする在宅健康管理システムが挙げられる（特許文献３）。
【先行技術文献】
【特許文献】
【０００６】
【特許文献１】特開２０１５−１４６０８５号公報
【特許文献２】特開２０１７−２７５７４号公報
【特許文献３】特開２００７−１３５８５９号公報
【発明の概要】
【発明が解決しようとする課題】
【０００７】
しかし、これらの特許文献１〜３では、現在の状況を通知するのみで、高齢者等に積極的に話しかけ、行動を促すものではなく、健康状況の現状確認の装置であった。
【０００８】
本発明の目的は、高齢者等に積極的に話しかけ、行動を促し、健康状況の把握・活性化可能な高齢者等見守システムを提供することにある。
【課題を解決するための手段】
【０００９】
上記課題を解決するために本発明において、以下の高齢者等見守システムを提供する。すなわち、第一の発明として、体データ取得のために接続する接続部と、接続されている状態で前記体データを取得する体データ取得部と、取得した体データと過去取得した体データを複数保持する履歴体データ保持部と、保持されている体データを出力する体データ出力部と、前記接続を検知する接続検知部と、複数の会話データを保持する会話データ保持部と、接続検知部が接続を検知した場合に保持されている会話データを選択する会話データ選択部と、選択された会話データを接続から所定時間内に出力する会話データ出力部と、
を有する高齢者等見守システムである（請求項１対応）。
【００１０】
前記特徴に加え、会話データ選択部は、取得された体データに基づいて会話データを選択する取得体データ依存会話データ選択手段を有する高齢者等見守システムである（請求項２対応）。
【００１１】
前記特徴に加え、会話データ選択部は、保持されている体データに基づいて会話データを選択する保持体データ依存会話データ選択手段を有する高齢者等見守システムである（請求項３対応）。
【００１２】
前記特徴に加え、複数の画像データを保持する画像データ保持部と、接続検知部が接続を検知した場合に保持されている画像データを選択する画像データ選択部と、選択された画像データを接続から所定時間内に出力する画像データ出力部と、を有する高齢者等見守システムである（請求項４対応）。
【００１３】
前記特徴に加え、画像データ選択部は、取得された体データに基づいて画像データを選択する取得体データ依存画像データ選択手段を有する高齢者等見守システムである（請求項５対応）。
【００１４】
前記特徴に加え、画像データ選択部は、保持されている体データに基づいて画像データを選択する保持体データ依存画像データ選択手段を有する高齢者等見守システムである（請求項６対応）。
【００１５】
前記特徴に加え、インターネットを介した通信を行う通信部と、通信部を介して会話データ又は／及び画像データを取得するデータ取得部と、取得した会話データ又は／及び画像データを会話データ保持部又は／及び画像データ保持部に記録するデータ記録部と、を有する高齢者等見守システムである（請求項７対応）。
【００１６】
前記特徴に加え、会話データ出力部又は／及び画像データ出力部を構成する音声出力機器又は画像出力機器の正面付近の画像又は／及び音声を撮影し又は／及び録音する撮影録音部と、撮影又は／及び録音した画像又は／及び音声を保持する撮影録音保持部と、保持されている画像又は／及び音声を通信部を介して出力する撮影録音出力部と、を有する高齢者等見守システムである（請求項８対応）。
【００１７】
前記特徴に加え、保持されている会話データ又は／及び画像データは、選択されるための属性情報が関連付けられており、会話データ又は／及び画像データは、関連付けられている属性情報に応じて会話データ選択部又は／及び画像データ選択部にて選択される高齢者等見守システムである（請求項９対応）。
【００１８】
前記特徴に加え、取得した会話データ又は／及び取得した画像データを分析して属性情報を関連付ける属性関連付部をさらに有する高齢者等見守システムである（請求項１０対応）。
【００１９】
前記特徴に加え、さらに、体データを体から取得する体データ取得デバイスを有する高齢者等見守システムである（請求項１１対応）。
【００２０】
第二の発明として、体データ取得デバイスとの接続を検知する接続検知ステップと、接続検知ステップにて接続が検知された場合に前記体データ取得デバイスから体データを取得する体データ取得ステップと、体データ取得ステップにて取得した体データを記録する体データ記録ステップと、接続検知ステップにて接続を検知した場合に保持されている会話データを選択する会話データ選択ステップと、会話データ選択ステップにて選択された会話データを接続から所定時間内に出力する会話データ出力ステップと、を有する計算機である高齢者等見守システムの動作方法（請求項１２対応）。
【００２１】
第三の発明として、  体データ取得デバイスとの接続を検知する接続検知ステップと、接続検知ステップにて接続が検知された場合に体データを取得する体データ取得ステップと、体データ取得ステップにて取得した体データを記録する体データ記録ステップと、
【００２２】
接続検知ステップにて接続を検知した場合に保持されている会話データを選択する会話データ選択ステップと、会話データ選択ステップにて選択された会話データを接続から所定時間内に出力する会話データ出力ステップと、を有する計算機である高齢者等見守システムに読取り実行可能に記述した高齢者等見守システムの動作プログラム（請求項１３対応）。
【発明の効果】
【００２３】
上述した構成によれば、高齢者等に積極的に話しかけ、行動を促し、健康状況の把握・活性化可能な高齢者等見守システムを提供することができる。
【図面の簡単な説明】
【００２４】
【図１】実施形態１の高齢者等見守システムの機能ブロック図
【図２】実施形態１の高齢者等見守システムにおける画像インターフェース画面例を示す図
【図３】速歩きで予防できる病気・病態の例（中之条研究の成果）を示す図
【図４】実施形態１の高齢者等見守システムにおける会話データの例を示す図
【図５】実施形態１の高齢者等見守システムにおける画像インターフェース画面（アンケート画面）例を示す図
【図６】実施形態１の高齢者等見守システムにおける高齢者等の活動量のグラフ
【図７】実施形態１の高齢者等見守システムにおける認知症予防クイズの例を示す図
【図８】実施形態７の高齢者等見守システムにおける会話データの入力例を示す図
【図９】実施形態１の高齢者等見守システムのハードウェア構成図
【図１０】実施形態１の高齢者等見守システムの処理フローチャート
【図１１】実施形態２の高齢者等見守システムの機能ブロック図
【図１２】実施形態２の高齢者等見守システムのハードウェア構成図
【図１３】実施形態２の高齢者等見守システムの処理フローチャート
【図１４】実施形態３の高齢者等見守システムの機能ブロック図
【図１５】実施形態３の高齢者等見守システムのハードウェア構成図
【図１６】実施形態３の高齢者等見守システムの処理フローチャート
【図１７】実施形態４の高齢者等見守システムの機能ブロック図
【図１８】実施形態４の高齢者等見守システムのハードウェア構成図
【図１９】実施形態４の高齢者等見守システムの処理フローチャート
【図２０】実施形態５の高齢者等見守システムの機能ブロック図
【図２１】実施形態５の高齢者等見守システムのハードウェア構成図
【図２２】実施形態５の高齢者等見守システムの処理フローチャート
【図２３】実施形態６の高齢者等見守システムの機能ブロック図
【図２４】実施形態６の高齢者等見守システムのハードウェア構成図
【図２５】実施形態６の高齢者等見守システムの処理フローチャート
【図２６】実施形態７の高齢者等見守システムの機能ブロック図
【図２７】実施形態７の高齢者等見守システムのハードウェア構成図
【図２８】実施形態７の高齢者等見守システムの処理フローチャート
【図２９】実施形態８の高齢者等見守システムの機能ブロック図
【図３０】実施形態８の高齢者等見守システムのハードウェア構成図
【図３１】実施形態８の高齢者等見守システムの処理フローチャート
【図３２】実施形態９の高齢者等見守システムの機能ブロック図
【図３３】実施形態９の高齢者等見守システムのハードウェア構成図
【図３４】実施形態１０の高齢者等見守システムの機能ブロック図
【図３５】実施形態１０の高齢者等見守システムのハードウェア構成図
【図３６】実施形態１０の高齢者等見守システムの処理フローチャート
【図３７】実施形態１１の高齢者等見守システムの機能ブロック図
【図３８】実施形態１１の高齢者等見守システムのハードウェア構成図
【図３９】実施形態の活動量計の外観図
【図４０】実施形態９の高齢者等見守システムの処理フローチャート
【発明を実施するための形態】
【００２５】
以下、本発明の実施の形態について、添付図面を用いて説明する。なお、本発明は、これら実施形態に何ら限定されるべきものではなく、その要旨を逸脱しない範囲において、種々なる態様で実施し得る。
【００２６】
なお、以下に記載する本装置の機能ブロックは、ハードウェア及びソフトウェアの組み合わせとして実現され得る。具体的には、コンピュータを利用するものであれば、ＣＰＵ（中央演算装置）や主メモリ、システムバス、あるいは二次記憶装置（ハードディスクドライブや不揮発性メモリ、ＣＤやＤＶＤなどの記憶メディアとそれらメディアの読取ドライブなど）、情報入力に利用される入力デバイス、表示装置、その他の外部周辺装置などのハードウェア構成部、例えばタブレットＰＣ、タッチ入力コンピュータ、パーソナルコンピュータ、ディスクトップ型コンピュータ、ノート型コンピュータ、スマートフォン、タッチパネルディスプレイ、ハードディスク、マイク、スピーカ、活動量計（歩数計）、体温計、血圧計、脈拍計、体重計、加速度センサ、血糖値計、パルスオキシメータ（酸素濃度計）、呼吸測定器、発汗測定器、プリンタまたその外部周辺装置用のインターフェース、通信用インターフェース、タッチ入力インターフェース、画像入力インターフェース、マウス入力インターフェース、ディスプレイインターフェース、ＩＣカード入力インターフェース、キーボード入力インターフェース、音声入出力インターフェース、ＡＩスピーカーインターフェース、携帯電話・スマートフォンインターフェース、インターフォンインターフェース、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本装置の機能ブロックは専用ハードウェアによって実現されてもよい。また、本装置は一つのハードウェアやソフトウェアにより構成される場合に限られず、複数のハードウェアやソフトウェアの組み合わせによって構成されてもよく、ネットワークを介在したサーバ装置を含んで構成されてもよい。
【００２７】
また、この発明は装置として実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
【００２８】
ここで、高齢者等見守システムの各部は、１つのハードウェアで実現しても良いし、サーバやクラウドに履歴データを保存するようにしても良い。
＜実施形態１＞
＜実施形態１  概要＞
【００２９】
実施形態１の高齢者等見守システムは、体データ取得デバイスの接続を検知すると、会話データを出力して、高齢者等に話しかけ、行動を促すようにし、高齢者等の健康状況の把握と活性化を図れるようにしたものである。
＜実施形態１  構成＞
【００３０】
図１に示すように、実施形態１の高齢者等見守システム０１００は、接続部０１０１と、体データ取得部０１０２と、履歴体データ保持部０１０３と、体データ出力部０１０４と、接続検知部０１０５と、会話データ保持部０１０６と、会話データ選択部０１０７と、会話データ出力部０１０８とを有する。
＜実施形態１  構成の説明＞
＜実施形態１  高齢者等見守システム＞
【００３１】
実施形態１の高齢者等見守システムは、タブレットＰＣ、タッチ入力コンピュータ、パーソナルコンピュータ、ディスクトップ型コンピュータ、ノート型コンピュータ、スマートフォン、タッチパネルディスプレイを接続した各種コンピュータ、クライアントサーバ型のコンピュータシステム、クラウドコンピュータと各種コンピュータ端末とをネットワークを介して構成されるネットワーク上で実現できる。
【００３２】
ここで、高齢者等には、高齢者、独居高齢者、独居身体障碍者、独居知的障碍者等が含まれる。
＜実施形態１  接続部＞
【００３３】
「接続部」０１０１は、体データ取得のために体データ取得デバイスと接続する。例えば、図３９に示すような活動量計を図示しないタブレットＰＣなどに接続することにより、体データを取得する。
活動量計の形態としては、ブレスレット、指輪、ネックレスタイプ等のものが含まれる。
高齢者等が常時装着してもよく、入浴中でも外さないで体データを取得してもよい。
活動量計の場合は、高齢者等が歩いた歩数や速歩きの歩数や消費カロリー等が活動量計から取得できる。接続部０１０１は、有線又は無線が使用でき、有線の場合は、タブレットＰＣと活動量計を通信ケーブルで接続する。無線の場合は、近距離無線通信のBluetooth（登録商標）、ＮＦＣ、ＲＦ通信（通信距離を数ｃｍ〜１０ｃｍ程度に電波を制限）などの非接触接続が使用できる。例えば、タブレットＰＣ又はスマホクレードルにＵＳＢケーブル接続でポート（データ取得部）を設け、そのポートに活動量計をポートにかざすだけで、体データの取得ができる。このとき、高齢者等を特定（識別）するＩＤ情報（識別情報）なども体データ取得時に取得するのが望ましい。高齢者等の活動量の分析等に利用できるからである。予めポートと活動量計とは、ペアリング設定が済んでおり、高齢者等は何ら設定することなく、使用できる状態にしておくことが望ましい。体データ取得デバイスとしては、体温計、血圧計、脈拍計、体重計、加速度センタ、血糖値計、パルスオキシメータ（酸素濃度計）、呼吸測定器、発汗測定器なども含まれる。
【００３４】
図３に身体活動量計を用いた中之条研究の成果を示す。（２０１４．ＫＡＯヘルスケアレポート７頁〜９頁高齢者の日常身体活動の特性と健康の科学的解明  身体活動量計を用いた中之条研究の成果  青桝  幸利）図３に示すように、通常の歩行と速歩き（中程度の運動）を組み合わせると、高齢者の病気や病態を予防できるエビデンスが知られている。この成果を本高齢者等見守システムに利用することにより、活動量計を用いて高齢者等の健康状況を把握するとともに、高齢者等の活性化を促すものである。
＜実施形態１  体データ取得部＞
【００３５】
「体データ取得部」０１０２は、接続されている状態で体データを取得する。体データとしては、活動量計データ以外に、血圧データ、パルスオキシメータデータ、体重データ、血糖値データ、脈拍数データ、発汗量データ、呼吸回数データなどのバイタルデータなども含まれる。身体装着できない装置（デバイス）からの体データ取得は、例えば体重計で測定した体重データを活動量計に移しておいたり、サーバやクラウドに保存しておき、体データ取得時に行ってもよい。また、本見守システムから高齢者等に話しかけて体重計に乗ってもらい、体データ取得を行ってもよい。
＜実施形態１  履歴体データ保持部＞
【００３６】
「履歴体データ保持部」０１０３は、体データ取得部０１０２により取得した体データと過去取得した体データを複数保持する。履歴体データ保持部０１０３には、今回取得した体データと、過去取得した体データを履歴体データとして複数保持しており、図６に示すような継続した高齢者等の健康状態の把握や分析に活用できる。また、履歴体データは、インターネット経由でサーバやクラウド上にデータを保存してもよい。
＜実施形態１  体データ出力部＞
【００３７】
「体データ出力部」０１０４は、履歴体データ保持部０１０３に保持されている体データを出力する。体データ出力部は、例えば体データを文字、音声、画像などの形式で、ディスプレイに出力表示したり、スピーカで音声出力したり、インターネット経由で離れた場所に居る家族等（娘や息子）に送ることができる。体データ出力は、ウェブ型、メール型、専用アプリなどで提供され、家族等のスマホやタブレットＰＣ、コンピュータ等に送られる。
＜実施形態１  接続検知部＞
【００３８】
「接続検知部」０１０５は、体データ取得デバイスとの接続を検知する。接続検知部０１０５は、図２（Ａ）に示すような高齢者等見守システムの画面の状態において、体データ取得デバイスとして活動量計をポート（図示しない）にかざすと、接続が検知される。領域内に高齢者がいない場合は、切断を検知してもよい。図２（Ａ）は朝の表示状態を示しており、就寝時は図２（Ｂ）のような画面を表示している。図２（Ａ）（Ｂ）の例では、表示画面は１つだけであったが、図５（Ａ）（Ｂ）のように、２つの画面を同時に表示したり、左右の画面を順番に表示してもよい。
＜実施形態１  会話データ保持部＞
【００３９】
「会話データ保持部」０１０６は、複数の会話データを保持する。会話データの例を図４に示す。例えば、図４（Ａ）の例では、「毎日４０００歩以上・速歩き５分以上クリアしているから、うつ病を予防できているね！」、図４（Ｂ）の例では、「最近、速歩き歩数が減ってきているなぁ〜  調子悪いのかな？」、図４（Ｃ）の例では、「すり足が増えてきたから、ちょっと心配だな？  今度、会った時、体の調子を訊いてみよう！」などの会話が保持されている。この会話データ保持部０１０６には、高齢者等の名前、個人情報、趣味、嗜好、居住の地域、家族住所、会話履歴等の属性情報と関連つけて保持してもよい。
＜実施形態１  会話データ選択部＞
【００４０】
「会話データ選択部」０１０７は、接続検知部０１０５が体データ取得デバイスとの接続を検知した場合に保持されている会話データを選択する。接続検知部０１０５が活動量計等の接続を検知すると、会話データ選択部０１０７は、図４（Ａ）（Ｂ）（Ｃ）に示すような会話を選択する。または、図５に示すアンケート画面のボタンに高齢者等が手でタッチすると、会話データを選択するようにしてもよい。アンケート画面では、図７に示すような認知症予防クイズを出題して高齢者等の活性化を図ってもよい。
【００４１】
会話データの選択基準としては、例えば、カレンダーで子供の日、敬老の日、秋、冬などの季節、上述したような高齢者等の属性情報とその高齢者等との会話履歴などのユーザデータベースと取得した体データ、その日のニュース、天気などが使用される。
【００４２】
また高齢者等が複数居住している場所に本システムが設置されるような場合には本システムは体データ取得デバイスとの接続によってどの高齢者等が現在接続しているかを識別し、その接続中の高齢者に応じた会話データが選択できるように構成されていることが好ましい。従って、このような場合には履歴体データ保持部０１０３は、高齢者等毎に体データを保持するように構成される。
【００４３】
さらにこのような複数居住のケースでは、一の高齢者等との会話継続中に他の高齢者等の体データ取得デバイスの接続が検知された場合には、遅れて体データ取得デバイスを接続した高齢者等に対しては、少し待ってもらえるように会話データを選択することが好ましい。例えば、「・・・さん、少し待っててね」、「・・・さん、おはようございます。少し待ってください。」などの会話を選択することができる。なお、このような場合には名前を会話データに埋め込むので会話データの一部合成を会話データの選択の処理の中で行うように構成することが好ましい。このような観点から、会話データの選択には一部に他の会話データや、蓄積されている単語データ、ネットワークを介して外部から取得する会話データや単語データとの合成処理が含まれていてもよい。
＜実施形態１  会話データ出力部＞
【００４４】
「会話データ出力部」０１０８は、選択された会話データを体データ取得デバイスとの接続から所定時間内に出力する。会話データ出力部０１０８は、高齢者等による接続を受けると、会話データの選択基準に基づいて選択された会話データが接続から所定時間（例えば、３秒以内（できれば、１秒以内））に出力する。出力形態は、ディスプレイ画面に文字、画像を表示したり、スピーカから音声出力することにより行う。音声は、家族等（娘、息子など）の声、介護士の声、友人の声を録音しておきこれを利用することができる。録音はディスプレイにテキストデータを出力し、それを朗読させることで録音しておくことが考えられる。そうするとテキストデータと関連付けられている会話識別情報に関連付けて録音された音声を保存し会話識別情報の選択に応じて録音された音声を出力できる。また所定の発声指示を発声者に指示し、その発声者の声をまねてテキスト文章を音声化するように構成することもできる。この場合にはテキスト文章の柔軟な変更に応じて自在に発声者の声での会話が可能となるので柔軟であり、毎回発声者にテキスト文章を読ませる必要がなく効率的である。本見守システムと体データ取得デバイスとが接続状態でキャッチボールが行え、高齢者等が身近な人物との親近感を感じさせるシステムを実現できる。視覚障碍者の場合は、音声出力が好ましい。このような会話データの出力方法は、高齢者等の身体的特徴に合わせて、適宜変更することができる。例えば、個人情報を用いて、「・・・さん、おはようございます。」などの名前やニックネームで呼びかける会話データを生成する会話データ生成手段を備えてもよい。ＡＩスピーカなども話しかけを行っているが、ＡＩスピーカは使用者が先に話しかけると、話しかけを行うもので、汎用的な商品注文やニュース提供などの定型的な対応をするだけである。その点、本システムはシステム側から会話を開始できる点、さらに相手を識別しうる点でＡＩスピーカに優るものである。
【００４５】
なお、基本的に高齢者等に対する問いかけを含む会話を出力した場合には、高齢者等からの返答や話しかけを音声入力デバイス（例えば、マイク等）を介して取得し、高齢者等の発言に対してさらなる話しかけや回答が必要であるか判断し、判断の結果必要である場合には再度会話を選択し、この処理を繰り返すように構成する。なお、本システムに市販のＡＩスピーカ（スピーカのみならずディスプレイを備えたものも含む）のシステムを利用する処理部を設けて体データと関連性の薄い会話に関しては処理をそちら側に担わせるように構成することもできる。
【００４６】
このように、本高齢者等見守システムから、高齢者等に積極的に話しかけ、行動を促して、高齢者等の健康状況の把握と活性化を図ることができる。
以下、実施形態１の高齢者等見守システムの作用について説明する。
＜実施形態１  作用：ハードウェア的構成＞
【００４７】
図９に示すように、高齢者等見守システムの計算機の構成は、ＣＰＵ０９０１と、ＨＤＤ、ＲＯＭ等の不揮発性メモリ０９０２と、Ｄ−ＲＡＭ等の主メモリ０９０３と、インターフェース０９０４とから構成されている。不揮発性メモリ０９０２には接続プログラム、体データ取得プログラム、履歴体データ保持プログラム、体データ出力プログラム、接続検知プログラム、会話データ保持プログラム、会話データ選択プログラム、会話データ出力プログラム等のプログラムが格納されている。データとしては、体データ、取得体データ、過去取得体データ、会話データ１，２，３・・・などがある。これらのプログラムやデータは、主メモリ０９０３の保持領域に読み込まれ、作業領域で実行される。また、インターフェース０９０４には、接続インターフェース０９０５、体データを取得するための体データ取得インターフェース０９０６、体データ出力インターフェース０９０７、接続検知インターフェース０９０８、会話データ出力インターフェース０９０９などがある。そして、会話データ出力インターフェース０９０９には、高齢者等に話しかけを行うスピーカ０９１０が接続されている。スピーカ０９１０は、装置に内蔵させたり、別体のスピーカを有線接続や、段落［００３３］に述べたような近距離無線通信接続により構成しても良い。
＜実施形態１  処理の流れ＞
【００４８】
図１０に示すように、このような高齢者等見守りシステムの計算機の動作は、接続検知プログラムにより体データ取得デバイスとの接続を検知する接続検知ステップを実行する（ステップ１００１）。次に、接続検知ステップ１００１にて体データ取得デバイスと接続された状態で新規体データがあるか否かを確認する（ステップ１００２）。新規体データがない場合（ステップ１００２）は、後記ステップ１００５へ進む。
次に新規体データがある場合は（ステップ１００２）、体データ取得プログラムにより接続検知ステップ１００１にて接続されている状態で体データを取得する体データ取得ステップを実行する（ステップ１００３）。
【００４９】
次に体データ記録プログラムにより体データ取得ステップ１００３にて取得した体データを記録する体データ記録ステップを実行する（ステップ１００４）。
次に会話データ選択プログラムにより接続検知ステップにて接続を検知した場合（ステップ１００１）に保持されている会話データを選択する会話データ選択ステップを実行する（ステップ１００５）。
次に会話データ出力プログラムにより会話データ選択ステップ１００５にて選択された会話データを接続から所定時間内に出力する会話データ出力ステップを実行する（ステップ１００６）。
以上の処理を終了するまで行う（ステップ１００７）。
【００５０】
終了しない場合（ステップ１００７）、会話データの選択があったときは（ステップ１００８）、ステップ１００５、１００６を繰り返す。会話データの選択がなかったときは（ステップ１００８）、接続検知ステップ１００１に戻る。
＜実施形態１  効果＞
【００５１】
このように、実施形態１によれば、高齢者等に積極的に話しかけ、行動を促し、健康状況の把握・活性化可能な高齢者等見守システムを提供することができる。
＜実施形態２＞  
＜実施形態２  概要＞
【００５２】
実施形態２の高齢者等見守システムは、実施形態１を基本としつつ、取得された体データに基づいて会話データを選択する取得体データ依存会話データ選択手段を備えたものである。
＜実施形態２  構成＞
【００５３】
図１１に示すように、実施形態２の高齢者等見守システム１１００は、接続部１１０１と、体データ取得部１１０２と、履歴体データ保持部１１０３と、体データ出力部１１０４と、接続検知部１１０５と、会話データ保持部１１０６と、会話データ選択部１１０７と、会話データ出力部１１０８とを有し、さらに会話データ選択部１１０７は取得体データ依存会話データ選択手段１１０９を有する。
＜実施形態２  構成の説明＞
【００５４】
「取得体データ依存会話データ選択手段」１１０９は、会話データ選択部１１０７に設けられ、取得された体データに基づいて会話データを選択する。
【００５５】
例えば、接続部１１０１を介して体データ取得部１１０２により、図６に示す１１月１日に体データを取得したとする。その日は全歩数が９２００歩、速歩き歩数は５０００歩を超えている。このとき、取得体データ依存会話データ選択手段１１０９は、例えば、「今日は、目標歩数の８，０００歩をクリアしました。速歩きも５０００歩を超えているので、頑張りましたね」などの会話データを選択する。また、例えば、現在の取得体データ１、２、３と履歴体データ保持部１１０３に保持されている過去の取得体データ１、２、３・・・と組合せて、図４（Ａ）に示すような会話データを選択しても良い。
以下、実施形態２の高齢者等見守システムの作用について説明する。
＜実施形態２  作用：ハードウェア的構成＞
【００５６】
図１２に示すように、高齢者等見守システムの計算機の構成は、ＣＰＵ１２０１と、ＨＤＤ、ＲＯＭ等の不揮発性メモリ１２０２と、Ｄ−ＲＡＭ等の主メモリ１２０３と、インターフェース１２０４とから構成されている。不揮発性メモリ１２０２には接続プログラム、体データ取得プログラム、履歴体データ保持プログラム、体データ出力プログラム、接続検知プログラム、会話データ保持プログラム、会話データ選択プログラム、取得体データ依存会話データ選択サブプログラム、会話データ出力プログラム等のプログラムが格納されている。データとしては、体データ、取得体データ、過去取得体データ、会話データ１，２，３・・・などがある。これらのプログラムやデータは、主メモリ１２０３の保持領域に読み込まれ、作業領域で実行される。また、インターフェース１２０４には、接続インターフェース１２０５、体データを取得するための体データ取得インターフェース１２０６、体データ出力インターフェース１２０７、接続検知インターフェース１２０８、会話データ出力インターフェース１２０９などがある。そして、会話データ出力インターフェース１２０９には、高齢者等に話しかけを行うスピーカ１２１０が接続されている。スピーカ１２１０は、装置に内蔵させたり、別体のスピーカを有線接続や、段落［００３３］に述べたような近距離無線通信接続により構成しても良い。
＜実施形態２  処理の流れ＞
【００５７】
図１３に示すように、このような高齢者等見守りシステムの計算機の動作は、接続検知プログラムにより体データ取得デバイスとの接続を検知する接続検知ステップを実行する（ステップ１３０１）。次に、接続検知ステップ１３０１にて体データ取得デバイスと接続された状態で新規体データがあるか否かを確認する（ステップ１３０２）。新規体データがない場合（ステップ１３０２）は、後記ステップ１３０５へ進む。
次に新規体データがある場合は（ステップ１３０２）、体データ取得プログラムにより接続検知ステップ１３０１にて接続されている状態で体データを取得する体データ取得ステップを実行する（ステップ１３０３）。
【００５８】
次に体データ記録プログラムにより体データ取得ステップ１３０３にて取得した体データを記録する体データ記録ステップを実行する（ステップ１３０４）。
【００５９】
次に会話データ選択プログラムにより接続検知ステップにて接続を検知した場合（ステップ１３０１）に保持されている会話データを選択する会話データ選択ステップを実行する（ステップ１３０５）。ここで、取得体データ依存会話データ選択サブプログラムにより取得された体データに基づいて会話データを選択する取得体データ依存会話データ選択サブステップを実行する（ステップ１３０６）。
次に会話データ出力プログラムにより会話データ選択ステップ１３０５、１３０６にて選択された会話データを接続から所定時間内に出力する会話データ出力ステップを実行する（ステップ１３０７）。
以上の処理を終了するまで行う（ステップ１３０８）。
【００６０】
終了しない場合（ステップ１３０８）、会話データの選択があったときは（ステップ１３０９）、ステップ１３０５、１３０６、１３０７を繰り返す。会話データの選択がなかったときは（ステップ１３０９）、接続検知ステップ１３０１に戻る。
＜実施形態２  効果＞
【００６１】
このように、実施形態２によれば、実施形態１に加え、取得された体データに基づいて会話データを選択するので、従来のＡＩスピーカ等に不可能であった高齢者等の健康状況に応じた対話をすることができ、より親近感が得れると同時に高齢者等の健康を維持し、さらに健やかにすることができる。
＜実施形態３＞  
＜実施形態３  概要＞
【００６２】
実施形態３の高齢者等見守システムは、実施形態１又は実施形態２を基本としつつ、保持されている体データに基づいて会話データを選択する保持体データ依存会話データ選択手段を備えたものである。
＜実施形態３  構成＞
【００６３】
図１４に示すように、実施形態３の高齢者等見守システム１４００は、接続部１４０１と、体データ取得部１４０２と、履歴体データ保持部１４０３と、体データ出力部１４０４と、接続検知部１４０５と、会話データ保持部１４０６と、会話データ選択部１４０７と、会話データ出力部１４０８とを有し、さらに会話データ選択部１４０７は保持体データ依存会話データ選択手段１４０９を有する。
＜実施形態３  構成の説明＞
【００６４】
「保持体データ依存会話データ選択手段」１４０９は、会話データ選択部１４０７に設けられ、保持されている体データに基づいて会話データを選択する。
【００６５】
履歴体データ保持部１４０３に保持されている取得体データ１，２，３・・・に基づいて会話データを選択したり、取得体データ１，２，３・・・と過去取得体データ１，２，３・・・との組合せに基づいて会話データを選択する。つまり、過去の体データと現在の体データとの比較結果に応じて会話データを選択する。体データとしては、段落［００３５］で述べたような体データであり、体データが体重データの場合は、「ちょっと体重が増えてきましたね」、血圧データが高血圧の場合は、「血圧が上がってきたので、お薬を飲みましょう。」などの会話データを選択する。
【００６６】
従って、過去の体データと現在の体データを比較して会話データの選択ができるので、より高齢者等に寄り添った会話をすることができる。従ってシステムに対する高齢者等の親近感を高めやすくなり、場合によっては高齢者等の体を気遣う家族であるかのような感覚を覚える。従って、システムの健康に関するアドバイス等も受け入れやすくなり、高齢者等の健康維持・促進に資する結果となる。この点で過去の体データと現在の体データの比較機能を有さないＡＩスピーカ（スマートスピーカ）とは異なる効果を有する。
以下、実施形態３の高齢者等見守システムの作用について説明する。
＜実施形態３  作用：ハードウェア的構成＞
【００６７】
図１５に示すように、高齢者等見守システムの計算機の構成は、ＣＰＵ１５０１と、ＨＤＤ、ＲＯＭ等の不揮発性メモリ１５０２と、Ｄ−ＲＡＭ等の主メモリ１５０３と、インターフェース１５０４とから構成されている。不揮発性メモリ１５０２には接続プログラム、体データ取得プログラム、履歴体データ保持プログラム、体データ出力プログラム、接続検知プログラム、会話データ保持プログラム、会話データ選択プログラム、保持体データ依存会話データ選択プログラム、会話データ出力プログラム等のプログラムが格納されている。データとしては、体データ、取得体データ、過去取得体データ、会話データ１，２，３・・・などがある。これらのプログラムやデータは、主メモリ１５０３の保持領域に読み込まれ、作業領域で実行される。また、インターフェース１５０４には、接続インターフェース１５０５、体データを取得するための体データ取得インターフェース１５０６、体データ出力インターフェース１５０７、接続検知インターフェース１５０８、会話データ出力インターフェース１５０９などがある。そして、会話データ出力インターフェース１５０９には、高齢者等に話しかけを行うスピーカ１５１０が接続されている。スピーカ１５１０は、装置に内蔵させたり、別体のスピーカを有線接続や、段落［００３３］に述べたような近距離無線通信接続により構成しても良い。
＜実施形態３  処理の流れ＞
【００６８】
図１６に示すように、このような高齢者等見守システムの計算機の動作は、接続検知プログラムにより体データ取得デバイスとの接続を検知する接続検知ステップを実行する（ステップ１６０１）。次に、接続検知ステップ１６０１にて体データ取得デバイスと接続された状態で新規体データがあるか否かを確認する（ステップ１６０２）。新規体データがない場合（ステップ１６０２）は、後記ステップ１６０５へ進む。
次に新規体データがある場合は（ステップ１６０２）、体データ取得プログラムにより接続検知ステップ１６０１にて接続されている状態で体データを取得する体データ取得ステップを実行する（ステップ１６０３）。
【００６９】
次に体データ記録プログラムにより体データ取得ステップ１６０３にて取得した体データを記録する体データ記録ステップを実行する（ステップ１６０４）。
【００７０】
次に会話データ選択プログラムにより接続検知ステップにて体データ取得デバイスとの接続を検知した場合（ステップ１６０１）に保持されている会話データを選択する会話データ選択ステップを実行する（ステップ１６０５）。ここで、保持体データ依存会話データ選択サブプログラムにより保持されている体データに基づいて会話データを選択する保持体データ依存会話データ選択サブステップを実行する（ステップ１６０６）。
次に会話データ選択ステップ１６０５、１６０６にて選択された会話データを接続から所定時間内（１秒から３秒程度）に出力する会話データ出力ステップを実行する（ステップ１６０７）。
以上の処理を終了するまで行う（ステップ１６０８）。
【００７１】
終了しない場合（ステップ１６０８）、会話データの選択があったときは（ステップ１６０９）、ステップ１６０５、１６０６、１６０７を繰り返す。会話データの選択がなかったときは（ステップ１６０９）、接続検知ステップ１６０１に戻る。
＜実施形態３  効果＞
【００７２】
このように、実施形態３によれば、実施形態１又は実施形態２に加え、保持されている体データに基づいて会話データを選択するので、高齢者等の健康状況に応じた活性化を図ることができる。
＜実施形態４＞
＜実施形態４  概要＞
【００７３】
実施形態４の高齢者等見守システムは、実施形態１〜実施形態３を基本としつつ、さらに複数の画像データを保存しておき、体データ取得デバイスとの接続から所定時間（例えば、１秒から３秒）以内に選択された画像データを出力するようにしたものである。
＜実施形態４  構成＞
【００７４】
図１７に示すように、実施形態４の高齢者等見守システム１７００は、接続部１７０１と、体データ取得部１７０２と、履歴体データ保持部１７０３と、体データ出力部１７０４と、接続検知部１７０５と、会話データ保持部１７０６と、会話データ選択部１７０７と、会話データ出力部１７０８とを有し、さらに画像データ保持部１７０９と、画像データ選択部１７１０と、画像データ出力部１７１１とを有する。
＜実施形態４  構成の説明＞
【００７５】
「画像データ保持部」１７０９は、複数の画像データを保持する。画像データ保持部１７０９は、図５（Ａ）に示すような「今日は何曜日？」や「毎日１ページ進める「もの忘れ・認知症を防ぐ！脳活ドリル」今日の分は終わった？？」、図５（Ｂ）に示すような「こんにちは」や「今日は何歩あるいた？歩数計を見てから選んでね！」などのアンケート画面などを保持している。また、初期画面の画像なども保持している。「画像データ」はアニメ、写真、合成画像、図、表、グラフなど何であってもよい。また画像は静止画、動画いずれであってもよい。合成画像である場合には子供や孫、親戚などの顔写真から表情や口の動きを音声（会話）に合わせて合成するものであってもよい。さらにアニメの場合もボーカロイド（登録商標）のようなものであってもよい。さらに、画像データは、インターフォン画像であってもよい。例えば高齢者等の居所が老人ホームや、介護付きマンションなどの場合には接続を検知したのちにナースステーションや詰め所のインターフォンと接続されて介護士、看護師、トレーナーその他のスタッフと会話できるように構成することもできる。
【００７６】
「画像データ選択部」１７１１は、接続検知部１７０５が体データ取得デバイスとの接続を検知した場合に保持されている画像データを選択する。図示しない体データ取得デバイスの接続を、接続部１７０１、接続検知部１７０５を介して検知すると、高齢者等の接続時間に応じた画像を表示する。例えば、起床時には、「昨日は何歩あるいた？」の画面や前の晩に活動量計のタッチをしていなかった場合は、「昨日の活動量計の体データを取得しました」などの画像を表示する。また、就寝時に「今日は何歩あるいた？」などの画像を表示したり、昼の時間には「食事をしましたか？」などの画像を表示し、その画面に表示されたボタンの選択を促す。図５（Ａ）（Ｂ）に示すようなアンケート画面を表示し、ボタンの選択を促す。
【００７７】
「画像データ出力部」１７１１は、選択された画像データを体データ取得デバイスとの接続から所定時間（例えば、１秒から３秒）以内に出力する。これらの選択された画像データの表示は、１秒以内に出力し、少なくとも３秒以内に表示することが望ましい。あまり表示までの時間がかかると、高齢者等がシステムの応答が待ちきれないからである。また、画像データ出力部１７１１と会話データ出力部１７０８とは連動して会話データの出力と画像データの出力を同時にしてもよい。また、画像データとしてテレビ電話の画像をそのままここから出力する構成を採用してもよい。例えば、接続を検知した段階で登録されている親族の携帯電話・スマホ（画像通信機能付）に対して発呼し、親族などとテレビ電話で会話できるように構成してもよい。例えば発呼して相手側と会話可能になるまではアニメなどで相手方に電話をかけている画像データなどをディスプレイから出力しておくことも考えられる。相手方にも高齢者等の顔画像等が送信できるとよいのでディスプレイ近辺にはそのディスプレイを見る高齢者等の顔画像を取得するためのカメラを配置しておくことが好ましい。このように構成する場合には本システムは画像付きの電話機能を有していることが好ましい。ただし、この機能は市販の携帯電話やスマホを流用し、これと本システムが通信をすることによってこの構成が成り立つようにしてもよい。
以下、実施形態４の高齢者等見守システムの作用について説明する。
＜実施形態４  ハードウェア的構成＞
【００７８】
図１８に示すように、高齢者等見守システムの計算機の構成は、ＣＰＵ１８０１と、ＨＤＤ、ＲＯＭ等の不揮発性メモリ１８０２と、Ｄ−ＲＡＭ等の主メモリ１８０３と、インターフェース１８０４とから構成されている。不揮発性メモリ１８０２には接続プログラム、体データ取得プログラム、履歴体データ保持プログラム、体データ出力プログラム、接続検知プログラム、会話データ保持プログラム、会話データ選択プログラム、会話データ出力プログラム、画像データ保持プログラム、画像データ選択プログラム、画像データ出力プログラム等のプログラムが格納されている。データとしては、体データ、取得体データ、過去取得体データ、会話データ１，２，３・・・、画像データ１，２，３・・・などがある。これらのプログラムやデータは、主メモリ１８０３の保持領域に読み込まれ、作業領域で実行される。また、インターフェース１８０４には、接続インターフェース１８０５、体データを取得するための体データ取得インターフェース１８０６、体データ出力インターフェース１８０７、接続検知インターフェース１８０８、会話データ出力インターフェース１８０９、画像データ出力インターフェース１８１０などがある。そして、会話データ出力インターフェース１８０９には、高齢者等に話しかけを行うスピーカ１８１１が接続され、画像データ出力インターフェース１８１０には、高齢者等に健康状況や指示アイコンを表示したり、親族などとテレビ電話するための画像を表示するディスプレイ１８１２が接続されている。スピーカ１８１１やディスプレイ１８１２は、装置に内蔵させたり、別体の装置を有線接続や、段落［００３３］に述べたような近距離無線通信接続により構成しても良い。
＜実施形態４  処理の流れ＞
【００７９】
図１９に示すように、このような高齢者等見守りシステムの計算機の動作は、接続検知プログラムにより体データ取得デバイスとの接続を検知する接続検知ステップを実行する（ステップ１９０１）。次に、接続検知ステップ１９０１にて体データ取得デバイスと接続された状態で新規体データがあるか否かを確認する（ステップ１９０２）。新規体データがない場合（ステップ１９０２）は、後記ステップ１９０５へ進む。
次に新規体データがある場合は（ステップ１９０２）、体データ取得プログラムにより接続検知ステップ１９０１にて接続されている状態で体データを取得する体データ取得ステップを実行する（ステップ１９０３）。
【００８０】
次に体データ記録プログラムにより体データ取得ステップ１９０３にて取得した体データを記録する体データ記録ステップを実行する（ステップ１９０４）。
次に会話データ選択プログラムにより接続検知ステップにて接続を検知した場合（ステップ１９０１）に保持されている会話データを選択する会話データ選択ステップを実行する（ステップ１９０５）。
【００８１】
次に画像データ選択プログラムにより接続検知部ステップにて体データ取得デバイスとの接続を検知した場合（ステップ１９０１）に保持されている画像データを選択する画像データ選択ステップを実行する（ステップ１９０６）。
次に会話データ選択ステップ１９０５にて選択された会話データを接続から所定時間内に出力する会話データ出力ステップを実行する（ステップ１９０７）。
次に画像データ選択ステップ１９０６にて選択された画像データを体データ取得デバイスとの接続から所定時間内に出力する画像データ出力ステップを実行する（ステップ１９０８）。
以上の処理を終了するまで行う（ステップ１９０９）。
【００８２】
終了しない場合（ステップ１９０９）、会話データの選択があったときは（ステップ１９１０）、ステップ１９０５、１９０６、１９０７、１９０８を繰り返す。会話データの選択がなかったときは（ステップ１９０９）、接続検知ステップ１９０１に戻る。
＜実施形態４  効果＞
【００８３】
このように、実施形態４によれば、実施形態１〜実施形態３に加え、複数の画像データを出力するようにしたので、高齢者等への話しかけ、行動の促しを、よりインパクトが高い刺激を与えることができる。
＜実施形態５＞  
＜実施形態５  概要＞
【００８４】
実施形態５の高齢者等見守システムは、実施形態４を基本としつつ、取得された体データに基づいて画像データを選択する取得体データ依存画像データ選択手段を備えたものである。
＜実施形態５  構成＞
【００８５】
図２０に示すように、実施形態５の高齢者等見守システム２０００は、接続部２００１と、体データ取得部２００２と、履歴体データ保持部２００３と、体データ出力部２００４と、接続検知部２００５と、会話データ保持部２００６と、会話データ選択部２００７と、会話データ出力部２００８と、画像データ保持部２００９と、画像データ選択部２０１０と、画像データ出力部２０１１とを有し、さらに画像データ選択部２０１０は取得体データ依存画像データ選択手段２０１２を有する。
＜実施形態５  構成の説明＞
【００８６】
「取得体データ依存画像データ選択手段」２０１２は、画像データ選択部２０１０内に設けられ、取得された体データに基づいて画像データを選択する。
【００８７】
例えば、接続部２００１を介して体データ取得部２００２により、図６に示す１１月１日に体データを取得したとする。その日は全歩数が９２００歩、速歩き歩数は５０００歩を超えている。このとき、取得体データ依存画像データ選択手段２０１２は、例えば、「今日は、目標歩数の８，０００歩をクリアしました。速歩きも５０００歩を超えているので、頑張りましたね」などの画像データを選択する。また、例えば、現在の取得体データ１、２、３と履歴体データ保持部２００３に保持されている過去の取得体データ１、２、３・・・と組合せて、図４（Ａ）に示すような会話データを画像として表示しても良い。
【００８８】
取得体データとの関係で例えば画面に現れるキャラクターを変化させるように構成することが考えられる。例えば運動が不足していることが取得された体データから判断された場合にはキャラクターとしてトレーナー調のキャラクターの画像データを選択し、取得された体データから体調が不良であると判断される場合にはナース調のキャラクターの画像を選択して適切な会話を選択するという具合である。
【００８９】
このように本明細書においては体データや体データの履歴等を用いて会話データや画像データを選択する場合にはそのデータを評価するための評価手段を有することが好ましい。評価手段は何種類かあって、例えば運動量の評価手段、体調の評価手段、気分の評価手段、睡眠量の評価手段、食欲の評価手段等各種の評価手段を有していてもよい。そして各種の評価手段の評価結果を総合的に判断して会話データや画像データを選択するように構成することが好ましい。
以下、実施形態５の高齢者等見守システムの作用について説明する。
＜実施形態５  作用：ハードウェア的構成＞
【００９０】
図２１に示すように、高齢者等見守システムの計算機の構成は、ＣＰＵ２１０１と、ＨＤＤ、ＲＯＭ等の不揮発性メモリ２１０２と、Ｄ−ＲＡＭ等の主メモリ２１０３と、インターフェース２１０４とから構成されている。不揮発性メモリ２１０２には接続プログラム、体データ取得プログラム、履歴体データ保持プログラム、体データ出力プログラム、接続検知プログラム、会話データ保持プログラム、会話データ選択プログラム、会話データ出力プログラム、画像データ保持プログラム、画像データ選択プログラム、取得体データ依存画像データ選択プログラム、画像データ出力プログラム等のプログラムが格納されている。データとしては、体データ、取得体データ、過去取得体データ、会話データ１，２，３・・・、画像データ１，２，３・・・などがある。これらのプログラムやデータは、主メモリ２１０３の保持領域に読み込まれ、作業領域で実行される。また、インターフェース２１０４には、接続インターフェース２１０５、体データを取得するための体データ取得インターフェース２１０６、体データ出力インターフェース２１０７、接続検知インターフェース２１０８、会話データ出力インターフェース２１０９、画像データ出力インターフェース２１１０などがある。そして、実施形態４と同様に、会話データ出力インターフェース２１０９には、スピーカ２１１１が接続され、画像データ出力インターフェース２１１０には、ディスプレイ２１１２が接続されている。スピーカ２１１１やディスプレイ２１１２は、装置に内蔵させたり、別体の装置を有線接続や、段落［００３３］に述べたような近距離無線通信接続により構成しても良い。
＜実施形態５  処理の流れ＞
【００９１】
図２２に示すように、このような高齢者等見守りシステムの計算機の動作は、接続検知プログラムにより体データ取得デバイスとの接続を検知する接続検知ステップを実行する（ステップ２２０１）。次に、接続検知ステップ２２０１にて体データ取得デバイスと接続された状態で新規体データがあるか否かを確認する（ステップ２２０２）。新規体データがない場合（ステップ２２０２）は、後記ステップ２２０５へ進む。
次に新規体データがある場合は（ステップ２２０２）、体データ取得プログラムにより接続検知ステップ２２０１にて接続されている状態で体データを取得する体データ取得ステップを実行する（ステップ２２０３）。
【００９２】
次に体データ記録プログラムにより体データ取得ステップ２２０３にて取得した体データを記録する体データ記録ステップを実行する（ステップ２２０４）。
次に会話データ選択プログラムにより接続検知ステップにて接続を検知した場合（ステップ２２０１）に保持されている会話データを選択する会話データ選択ステップを実行する（ステップ２２０５）。
【００９３】
次に画像データ選択プログラムにより接続検知ステップにて体データ取得デバイスとの接続を検知した場合（ステップ２２０１）に保持されている画像データを選択する画像データ選択ステップを実行する（ステップ２２０６）。ここで、取得体データ依存画像データ選択サブプログラムにより取得された体データに基づいて画像データを選択する取得体データ依存画像データ選択サブステップを実行する（ステップ２２０７）。
次に会話データ出力プログラムにより会話データ選択ステップ２２０５にて選択された会話データを接続から所定時間内に出力する会話データ出力ステップを実行する（ステップ２２０８）。
次に画像データ出力プログラムにより画像データ選択ステップ２２０６、２２０７にて選択された画像データを体データ取得デバイスとの接続から所定時間内に出力する画像データ出力ステップを実行する（ステップ２２０９）。
以上の処理を終了するまで行う（ステップ２２１０）。
【００９４】
終了しない場合（ステップ２２１０）、会話データの選択があったときは（ステップ２２１１）、ステップ２２０５、２２０６、２２０７、２２０８、２２０９を繰り返す。会話データの選択がなかったときは（ステップ２２１１）、接続検知ステップ２２０１に戻る。
＜実施形態５  効果＞
【００９５】
このように、実施形態５によれば、実施形態４に加え、取得された体データに基づいて画像データを選択するようにしたので、高齢者等の健康状況に応じた活性化を図ることができる。
＜実施形態６＞  
＜実施形態６  概要＞
【００９６】
実施形態６の高齢者等見守システムは、実施形態４又は実施形態５を基本としつつ、保持されている体データに基づいて画像データを選択する保持体データ依存画像データ選択手段を備えたものである。
＜実施形態６  構成＞
【００９７】
図２３に示すように、実施形態６の高齢者等見守システム２３００は、接続部２３０１と、体データ取得部２３０２と、履歴体データ保持部２３０３と、体データ出力部２３０４と、接続検知部２３０５と、会話データ保持部２３０６と、会話データ選択部２３０７と、会話データ出力部２３０８と、画像データ保持部２３０９と、画像データ選択部２３１０と、画像データ出力部２３１１とを有し、さらに画像データ選択部２３１０は保持体データ依存画像データ選択手段２３１２を有する。
＜実施形態６  構成の説明＞
【００９８】
「保持体データ依存画像データ選択手段」２３１２は、画像データ選択部２３１０に設けられ、保持されている体データに基づいて画像データを選択する。
【００９９】
履歴体データ保持部２３０３に保持されている取得体データ１，２，３・・・に基づいて画像データを選択したり、取得体データ１，２，３・・・と過去取得体データ１，２，３・・・との組合せに基づいて画像データを選択する。保持体データ依存画像データ選択手段２３１２は、体データとしては、段落［００３５］で述べたような体データであり、体データが体重データの場合は、「ちょっと体重が増えてきましたね」、血圧データが高血圧の場合は、「高血圧です。注意しましょう。」や「血圧が上がってきたので、お薬を飲みましょう。」などの画像データを画像データ保持部２３０９の画像データ１，２，３から選択する。
以下、実施形態６の高齢者等見守システムの作用について説明する。
＜実施形態６  作用：ハードウェア的構成＞
【０１００】
図２４に示すように、高齢者等見守システムの計算機の構成は、ＣＰＵ２４０１と、ＨＤＤ、ＲＯＭ等の不揮発性メモリ２４０２と、Ｄ−ＲＡＭ等の主メモリ２４０３と、インターフェース２４０４とから構成されている。不揮発性メモリ２４０２には接続プログラム、体データ取得プログラム、履歴体データ保持プログラム、体データ出力プログラム、接続検知プログラム、会話データ保持プログラム、会話データ選択プログラム、会話データ出力プログラム、画像データ保持プログラム、画像データ選択プログラム、保持体データ依存画像データ選択サブプログラム、画像データ出力プログラム等のプログラムが格納されている。データとしては、体データ、取得体データ、過去取得体データ、会話データ１，２，３・・・、画像データ１，２，３・・・などがある。これらのプログラムやデータは、主メモリ２４０３の保持領域に読み込まれ、作業領域で実行される。また、インターフェース２４０４には、接続インターフェース２４０５、体データ取得インターフェース２４０６、体データ出力インターフェース２４０７、接続検知インターフェース２４０８、会話データ出力インターフェース２４０９、画像データ出力インターフェース２４１０などがある。そして、実施形態４又は５と同様に、会話データ出力インターフェース２４０９には、スピーカ２４１１が接続され、画像データ出力インターフェース２４１０には、ディスプレイ２４１２が接続されている。スピーカ２４１１やディスプレイ２４１２は、装置に内蔵させたり、別体の装置を有線接続や、段落［００３３］に述べたような近距離無線通信接続により構成しても良い。
＜実施形態６  処理の流れ＞
【０１０１】
図２５に示すように、このような高齢者等見守りシステムの計算機の動作は、接続検知プログラムにより体データ取得デバイスとの接続を検知する接続検知ステップを実行する（ステップ２５０１）。次に、接続検知ステップ２５０１にて体データ取得デバイスと接続された状態で新規体データがあるか否かを確認する（ステップ２５０２）。新規体データがない場合（ステップ２５０２）は、後記ステップ２５０５へ進む。
次に新規体データがある場合は（ステップ２５０２）、体データ取得プログラムにより接続検知ステップ２５０１にて接続されている状態で体データを取得する体データ取得ステップを実行する（ステップ２５０３）。
【０１０２】
次に体データ記録プログラムにより体データ取得ステップ２５０３にて取得した体データを記録する体データ記録ステップを実行する（ステップ２５０４）。
次に会話データ選択プログラムにより接続検知ステップにて接続を検知した場合（ステップ２５０１）に保持されている会話データを選択する会話データ選択ステップを実行する（ステップ２５０５）。
【０１０３】
次に画像データ選択プログラムにより接続検知ステップにて接続を検知した場合（ステップ２５０１）に保持されている画像データを選択する画像データ選択ステップを実行する（ステップ２５０６）。ここで、保持体データ依存画像データ選択サブプログラムにより保持されている体データに基づいて画像データを選択する保持体データ依存画像データ選択サブステップを実行する（ステップ２５０７）。
次に会話データ選択ステップ２５０５にて選択された会話データを接続から所定時間内に出力する会話データ出力ステップを実行する（ステップ２５０８）。
次に画像データ選択ステップ２５０６、２５０７にて選択された画像データを接続から所定時間内に出力する画像データ出力ステップを実行する（ステップ２５０９）。
以上の処理を終了するまで行う（ステップ２５１０）。
【０１０４】
終了しない場合（ステップ２５１０）、会話データの選択があったときは（ステップ２５１１）、ステップ２５０５、２５０６、２５０７、２５０８、２５０９を繰り返す。会話データの選択がなかったときは（ステップ２５１１）、接続検知ステップ２５０１に戻る。
＜実施形態６  効果＞
【０１０５】
このように、実施形態６によれば、実施形態４又は実施形態５に加え、保持されている体データに基づいて画像データを選択するようにしたので、高齢者等への話しかけや、行動の促しのバリエーションを増やすことができる。
＜実施形態７＞  
＜実施形態７  概要＞
【０１０６】
実施形態７の高齢者等見守システムは、実施形態４〜６を基本としつつ、インターネット通信により会話データや画像データを取得し、会話データ保持部や画像データ保持部に記録するデータ記録部を備えたものである。
＜実施形態７  構成＞
【０１０７】
図２６に示すように、実施形態７の高齢者等見守システム２６００は、接続部２６０１と、体データ取得部２６０２と、履歴体データ保持部２６０３と、体データ出力部２６０４と、接続検知部２６０５と、会話データ保持部２６０６と、会話データ選択部２６０７と、会話データ出力部２６０８、画像データ保持部２６０９と、画像データ選択部２６１０と、画像データ出力部２６１１とを有し、さらに通信部２６１２と、データ取得部２６１３と、データ記録部２６１４と、を有する。
＜実施形態７  構成の説明＞
【０１０８】
「通信部」２６１２は、インターネットを介した通信を行う。高齢者等見守システム２６００は、通信部２６１２を介してインターネットを介して離れている家族等（息子や娘）の図示しない通信端末（例えば、スマホやパソコン、タブレットＰＣ）と接続される。通信部２６１２を介して家族等と双方向の通信が行われ、高齢者症等の健康状況が送信されたり、家族等からの会話データや画像データを受け取ることができる。
【０１０９】
「データ取得部」２６１３は、通信部２６１２を介して会話データ又は／及び画像データを取得する。子どもからの会話データ入力画面例を図８に示す。図８の例では、自分の通信端末から子どもがお母様へ会話データ、例えば、「昨日もゆっくり休んだ？今日は晴天だから！」などを入力すると、この会話データが高齢者等見守システムに送信され、データ取得部２６１３は通信部２６１２を介して会話データを取得する。同様に画像データを取得することもできる。
【０１１０】
「データ記録部」２６１４は、取得した会話データ又は／及び画像データを会話データ保持部２６０６又は／及び画像データ保持部２６０９に記録する。これらの取得した会話データは会話データ保持部２６０６に保持され、取得した画像データは画像データ保持部２６０９に保持される。
以下、実施形態７の高齢者等見守システムの作用について説明する。
＜実施形態７  作用：ハードウェア的構成＞
【０１１１】
図２７に示すように、高齢者等見守システムの計算機の構成は、ＣＰＵ２７０１と、ＨＤＤ、ＲＯＭ等の不揮発性メモリ２７０２と、Ｄ−ＲＡＭ等の主メモリ２７０３と、インターフェース２７０４とから構成されている。不揮発性メモリ２７０２には接続プログラム、体データ取得プログラム、履歴体データ保持プログラム、体データ出力プログラム、接続検知プログラム、会話データ保持プログラム、会話データ選択プログラム、会話データ出力プログラム、画像データ保持プログラム、画像データ選択プログラム、画像データ出力プログラム、通信プログラム、データ取得プログラム、データ記録プログラム等のプログラムが格納されている。データとしては、体データ、取得体データ、過去取得体データ、会話データ１，２，３・・・、画像データ１，２，３・・・、取得会話データ、取得画像データなどがある。これらのプログラムやデータは、主メモリ２７０３の保持領域に読み込まれ、作業領域で実行される。また、インターフェース２７０４には、接続インターフェース２７０５、体データを取得するための体データ取得インターフェース２７０６、体データ出力インターフェース２７０７、接続検知インターフェース２７０８、会話データ出力インターフェース２７０９、通信インターフェース２７１０、データ取得インターフェース２７１１などがある。また、上述した実施形態と同様に、会話データ出力インターフェース２７０９には、スピーカ２７１２が接続され、画像データ出力インターフェース２７１３には、ディスプレイ２７１４が接続されている。スピーカ２７１２やディスプレイ２７１４は、装置に内蔵させたり、別体の装置を有線接続や、段落［００３３］に述べたような近距離無線通信接続により構成しても良い。
＜実施形態７  処理の流れ＞
【０１１２】
このような高齢者等見守システムの計算機の動作は、実施形態１の図１０の処理ステップ１００１〜１００９と同様な処理を実行する。
【０１１３】
それに加えて、実施形態７の高齢者等見守りシステムの計算機の動作は、インターネットを介した通信により会話データや画像データを取得できるようにした点が実施形態１と相違している。以下、この相違点について図２８の処理フローにより説明する。
【０１１４】
図２８に示すように、このような高齢者等見守システムの計算機の動作は、まず通信プログラムによりインターネットを介した通信を行う通信ステップを実行する（ステップ２８０１）。この通信ステップ２８０１において、データ取得プログラムにより通信部２６１２を介して会話データ又は及び画像データを取得するデータ取得ステップを実行する（ステップ２８０２）。
【０１１５】
次に、データ記録プログラムにより取得した会話データ又は／及び画像データを会話データ保持部２６０６又は／及び画像データ保持部２６０９に記録するデータ記録ステップを実行する（ステップ２８０３）。
以上の処理を終了するまで行う（ステップ２８０４）
＜実施形態７  効果＞
【０１１６】
このように、実施形態７によれば、実施形態４〜実施形態６に加え、インターネットを介して会話データや画像データを所得できるので、遠隔地の家族等（例えば、息子や娘）から高齢者等に積極的に話しかけ、行動を促し、より活性化の刺激を与えることができる。
＜実施形態８＞  
＜実施形態８  概要＞
【０１１７】
実施形態８の高齢者等見守システムは、実施形態７を基本としつつ、音声出力装置や画像出力装置の正面（近傍）の音声や画像を撮影録音し、その撮影録音した音声や画像をインターネット経由で出力するようにしたものである。
＜実施形態８  構成＞
【０１１８】
図２９に示すように、実施形態８の高齢者等見守システム２９００は、接続部２９０１と、体データ取得部２９０２と、履歴体データ保持部２９０３と、体データ出力部２９０４と、接続検知部２９０５と、会話データ保持部２９０６と、会話データ選択部２９０７と、会話データ出力部２９０８と、画像データ保持部２９０９と、画像データ選択部２９１０と、画像データ出力部２９１１と、通信部２９１２と、データ取得部２９１３と、データ記録部２９１４とを有し、さらに撮影録音部２９１５と、撮影録音保持部２９１６と、撮影録音出力部２９１７とを有する。
＜実施形態８  構成の説明＞
【０１１９】
「撮影録音部」２９１５は、会話データ出力部２９０８又は／及び画像データ出力部１１を構成する音声出力機器又は画像出力機器の正面付近の画像又は／及び音声を撮影し又は／及び録音する。
会話データ出力部としては、例えば、音声出力機器などが挙げられる。具体的には、スピーカやシステムに接続されたＡＩスピーカなども含まれる。また、画像データ出力部としては、例えば、画像出力機器などが挙げられる。具体的には、デジカメ、スマホのカメラ部、ディスプレイについたカメラなども含まれる。これらの音声出力機器や画像出力機器は、高齢者等の正面または正面付近の音声録音や画像撮影を行う。
【０１２０】
「撮影録音保持部」２９１６は、撮影又は／及び録音した画像又は／及び音声を保持する。撮影録音部２９１５において撮影された画像や録音された音声は、撮影録音保持部２９１６に保持される。
【０１２１】
「撮影録音出力部」２９１７は、保持されている画像又は／及び音声を通信部２９１２を介して出力する。
撮影録音保持部２９１６に保持された画像や音声は、通信部２９１２を介してインターネット経由で家族、親戚などに健康状態とともに送信される。この送信された体データの健康状態と撮影画像や録音音声を付加することにより、家族や親戚などは、よりリアルな健康状態を知ることができる。
以下、実施形態８の高齢者等見守システムの作用について説明する。
＜実施形態８  作用：ハードウェア的構成＞
【０１２２】
図３０に示すように、高齢者等見守システムの計算機の構成は、ＣＰＵ３００１と、ＨＤＤ、ＲＯＭ等の不揮発性メモリ３００２と、Ｄ−ＲＡＭ等の主メモリ３００３と、インターフェース３００４とから構成されている。不揮発性メモリ３００２には接続プログラム、体データ取得プログラム、履歴体データ保持プログラム、体データ出力プログラム、接続検知プログラム、会話データ保持プログラム、会話データ選択プログラム、会話データ出力プログラム、画像データ保持プログラム、画像データ選択プログラム、画像データ出力プログラム、通信プログラム、データ取得プログラム、データ記録プログラム、撮影録音プログラム、撮影録音保持プログラム、撮影録音出力プログラム等のプログラムが格納されている。データとしては、体データ、取得体データ、過去取得体データ、会話データ１，２，３・・・、画像データ１，２，３・・・、取得会話データ、取得画像データ、撮影画像データ、録音音声データなどがある。これらのプログラムやデータは、主メモリ３００３の保持領域に読み込まれ、作業領域で実行される。また、インターフェース３００４には、接続インターフェース３００５、体データ取得インターフェース３００６、体データ出力インターフェース３００７、接続検知インターフェース３００８、会話データ出力インターフェース３００９、通信インターフェース３０１０、データ取得インターフェース３０１１、撮影録音インターフェース３０１２、撮影録音出力インターフェース３０１３などがある。また、上述した実施形態と同様に、会話データ出力インターフェース３００９には、スピーカ３０１２が接続され、画像データ出力インターフェース３０１７には、ディスプレイ３０１８が接続されている。さらに、撮影録音インターフェース３０１２には、高齢者等の声を録音するためのマイク３０１５と高齢者等の顔や身体を撮影するカメラ３０１６が接続されている。スピーカ３０１２、ディスプレイ３０１８、マイク３０１５、カメラ３０１６は、装置に内蔵させたり、別体の装置を有線接続や、段落［００３３］に述べたような近距離無線通信接続により構成しても良い。
＜実施形態８  処理の流れ＞
【０１２３】
このような高齢者等見守りシステムの計算機の動作は、実施形態１の図１０の処理ステップ１００１〜１００９と同様な処理を実行する。
それに加えて、実施形態８の高齢者等見守システムの計算機の動作は、実施形態７に加え、音声出力装置又は画像出力装置の正面（近傍）の画像や音声を撮影録音できるようにした点が相違している。以下、この相違点について図３１の処理フローにより説明する。
【０１２４】
図３１に示すように、このような高齢者等見守りシステムの計算機の動作は、まず通信プログラムによりインターネットを介した通信を行う通信ステップを実行する（ステップ３１０１）。この通信ステップ３１０１において、データ取得プログラムにより通信部２９１２を介して会話データ又は及び画像データを取得するデータ取得ステップを実行する（ステップ３１０２）。
【０１２５】
次に、データ記録プログラムにより取得した会話データ又は／及び画像データを会話データ保持部２９０６又は／及び画像データ保持部２９０９に記録するデータ記録ステップを実行する（ステップ３１０３）。
【０１２６】
さらに、撮影録音プログラムにより、会話データ出力部２９０８又は／及び画像データ出力部２９１１を構成する音声出力機器又は画像出力機器の正面付近の画像又は／及び音声を撮影し又は／及び録音する撮影録音ステップを実行する（ステップ３１０４）。
【０１２７】
次に通信プログラムによりインターネットを介した通信を行う通信ステップを実行する（ステップ３１０５）。この通信ステップ３１０５において、撮影録音出力プログラムにより撮影録音保持部２９１６にて保持されている画像又は／及び音声を通信部２９１２を介してインターネット等に出力する撮影録音出力ステップを実行する（ステップ３１０６）。
以上の処理を終了するまで行う（ステップ３１０７）
＜実施形態８  効果＞
【０１２８】
このように、実施形態８によれば、実施形態７に加え、高齢者等の正面の画像又は音声を撮影又は録音してインターネットを介して遠隔地の家族等（例えば、息子や娘）に送信することができるので、安否確認も行うことができる。
＜実施形態９＞  
＜実施形態９  概要＞
【０１２９】
実施形態９の高齢者等見守システムは、実施形態５〜８を基本としつつ、会話データや画像データは選択されるための属性情報が関連付けされており、その関連付けられている属性情報に応じて会話データや画像データを選択するようにしたものである。
＜実施形態９  構成＞
【０１３０】
図３２に示すように、実施形態９の高齢者等見守システム３２００は、接続部３２０１と、体データ取得部３２０２と、履歴体データ保持部３２０３と、体データ出力部３２０４と、接続検知部３２０５と、会話データ保持部３２０６と、会話データ選択部３２０７と、会話データ出力部３２０８と、画像データ保持部３２０９と、画像データ選択部３２１０と、画像データ出力部３２１１とを有し、さらに会話データ選択部３２０７は取得体データ依存会話データ選択手段３２１２を有し、画像データ選択部３２１０は取得体データ依存画像データ選択手段３２１３を有する。ここで、保持されている会話データ又は／及び画像データは、選択されるための属性情報が関連付けられており、会話データ又は／及び画像データは、関連付けられている属性情報に応じて会話データ選択部又は／及び画像データ選択部にて選択される。
＜実施形態９  構成の説明＞
【０１３１】
「属性情報」とは、高齢者等の個人識別ＩＤ、高齢者等の名前、個人情報、趣味、嗜好、居住の地域、家族住所などである。これらの属性情報と取得体データ、会話データ、画像データなどと関連づけて、会話データや画像データの出力に利用することで、より親近感を持たせた本見守システムを実現できる。
以下、実施形態９の高齢者等見守システムの作用について説明する。
＜実施形態９  作用：ハードウェア的構成＞
【０１３２】
図３３に示すように、高齢者等見守システムの計算機の構成は、ＣＰＵ３３０１と、ＨＤＤ、ＲＯＭ等の不揮発性メモリ３３０２と、Ｄ−ＲＡＭ等の主メモリ３３０３と、インターフェース３３０４とから構成されている。不揮発性メモリ３３０２には接続プログラム、体データ取得プログラム、履歴体データ保持プログラム、体データ出力プログラム、接続検知プログラム、会話データ保持プログラム、会話データ選択プログラム、取得体データ依存会話データ選択サブプログラム、会話データ出力プログラム、画像データ保持プログラム、画像データ選択プログラム、取得体データ依存画像データ選択サブプログラム、画像データ出力プログラム等のプログラム格納されている。データとしては、体データ、取得体データ、過去取得体データ、会話データ１，２，３・・・、画像データ１，２，３・・・属性情報などがある。これらのプログラムやデータは、主メモリ３３０３の保持領域に読み込まれ、作業領域で実行される。また、インターフェース３３０４には、接続インターフェース３３０５、体データ取得インターフェース３３０６、体データ出力インターフェース３３０７、接続検知インターフェース３３０８、会話データ出力インターフェース３３０９、画像データ出力インターフェース３１１０などがある。また、会話データ出力インターフェース３３０９には、スピーカ３３１１が接続され、画像データ出力インターフェース３０１０には、ディスプレイ３３１２が接続されている。スピーカ３３１１やディスプレイ３３１２は、装置に内蔵させたり、別体の装置を有線接続や、段落［００３３］に述べたような近距離無線通信接続により構成しても良い。
＜実施形態９  処理の流れ＞
【０１３３】
図４０に示すように、このような高齢者等見守システムの計算機の動作は、接続検知プログラムにより体データ取得デバイスとの接続を検知する接続検知ステップを実行する（ステップ４００１）。次に、接続検知ステップ４００１にて体データ取得デバイスと接続された状態で新規体データがあるか否かを確認する（ステップ４００２）。新規体データがない場合（ステップ４００２）は、後記ステップ４００５へ進む。
次に新規体データがある場合は（ステップ４００２）、体データ取得プログラムにより接続検知ステップ４００１にて接続されている状態で体データを取得する体データ取得ステップを実行する（ステップ４００３）。
【０１３４】
次に体データ記録プログラムにより体データ取得ステップ４００３にて取得した体データを記録する体データ記録ステップを実行する（ステップ４００４）。
【０１３５】
次に会話データ選択プログラムにより接続検知ステップにて体データ取得デバイスとの接続を検知した場合（ステップ４００１）に保持されている会話データを選択する会話データ選択ステップを実行する（ステップ４００５）。ここで、取得体データ依存会話データ選択サブプログラムにより取得された体データに基づいて会話データを選択する取得体データ依存会話データ選択サブステップを実行する（ステップ４００６）。
次に画像データ選択プログラムにより接続検知ステップにて体データ取得デバイスとの接続を検知した場合（ステップ４００１）に保持されている画像データを選択する画像データ選択ステップを実行する（ステップ４００７）。ここで、取得体データ依存画像データ選択サブプログラムにより取得された体データに基づいて画像データを選択する取得体データ依存画像データ選択サブステップを実行する（ステップ４００８）。
【０１３６】
次に会話データ出力プログラムにより会話データ選択ステップ４００５、４００６にて選択された会話データを接続から所定時間内に出力する会話データ出力ステップを実行する（ステップ４００９）。
次に画像データ出力プログラムにより画像データ選択ステップ４００７、４００８にて選択された画像データを接続から所定時間内に出力する画像データ出力ステップを実行する（ステップ４０１０）。
以上の処理を終了するまで行う（ステップ４０１１）。
【０１３７】
終了しない場合（ステップ４０１１）、会話データの選択があったときは（ステップ４０１２）、ステップ４００５〜４０１０を繰り返す。会話データの選択がなかったときは（ステップ４０１２）、接続検知ステップ４００１に戻る。
＜実施形態９  効果＞
【０１３８】
このように、実施形態９によれば、実施形態５に加え、会話―データ又は画像データに関連付けられている属性情報に応じて会話―データや画像データを選択するので、高齢者等識別が可能となるので、複数の高齢者等の見守りが行えるようになる。
＜実施形態１０＞  
＜実施形態１０  概要＞
【０１３９】
実施形態１０の高齢者等見守システムは、実施形態９を基本としつつ、取得した会話データ又は／及び取得した画像データを分析して属性情報を関連付ける属性関連付部を備えたものである。
＜実施形態１０  構成＞
【０１４０】
図３４に示すように、実施形態１０の高齢者等見守システム３４００は、接続部３４０１と、体データ取得部３４０２と、履歴体データ保持部３４０３と、体データ出力部３４０４と、接続検知部３４０５と、会話データ保持部３４０６と、会話データ選択部３４０７と、会話データ出力部３４０８と、画像データ保持部３４０９と、画像データ選択部３４１０と、画像データ出力部３４１１と、取得体データ依存会話データ選択手段３２１２と取得体データ依存画像データ選択手段３２１３とを有し、さらに属性連付部３４１４を有する。
＜実施形態１０  構成の説明＞
「属性関連付部」３４１４は、取得した会話データ又は／及び取得した画像データを分析して属性情報を関連付ける。
属性関連付部３４１４は、取得した会話―データや取得した画像データを分析して実施形態９で述べたような属性情報との関連付けを行う。そうすることにより、よりきめの細かい高齢者等の健康状況に応じた話しかけなどが行えるようになる。
以下、実施形態１０の高齢者等見守システムの作用について説明する。
＜実施形態１０  作用：ハードウェア的構成＞
【０１４１】
図３５に示すように、高齢者等見守システムの計算機の構成は、ＣＰＵ３５０１と、ＨＤＤ、ＲＯＭ等の不揮発性メモリ３５０２と、Ｄ−ＲＡＭ等の主メモリ３５０３と、インターフェース３５０４とから構成されている。不揮発性メモリ３５０２には接続プログラム、体データ取得プログラム、履歴体データ保持プログラム、体データ出力プログラム、接続検知プログラム、会話データ保持プログラム、会話データ選択プログラム、取得体データ依存会話データ選択サブプログラム、会話データ出力プログラム、画像データ保持プログラム、画像データ選択プログラム、取得体データ依存画像データ選択サブプログラム、画像データ出力プログラム等のプログラムが格納されている。データとしては、体データ、取得体データ、過去取得体データ、会話データ１，２，３・・・、画像データ１，２，３・・・属性情報などがある。これらのプログラムやデータは、主メモリ３５０３の保持領域に読み込まれ、作業領域で実行される。また、インターフェース３５０４には、接続インターフェース３５０５、体データ取得インターフェース３５０６、体データ出力インターフェース３５０７、接続検知インターフェース３５０８、会話データ出力インターフェース３５０９、画像データ出力インターフェース３５１０などがある。また、会話データ出力インターフェース３５０９には、スピーカ３５１１が接続され、画像データ出力インターフェース３５１０には、ディスプレイ３５１２が接続されている。スピーカ３５１１やディスプレイ３５１２は、装置に内蔵させたり、別体の装置を有線接続や、段落［００３３］に述べたような近距離無線通信接続により構成しても良い。
＜実施形態１０  処理の流れ＞
【０１４２】
図３６に示すように、このような高齢者等見守りシステムの計算機の動作は、接続検知プログラムにより体データ取得デバイスとの接続を検知する接続検知ステップを実行する（ステップ３６０１）。次に、接続検知ステップ３６０１にて体データ取得デバイスと接続された状態で新規体データがあるか否かを確認する（ステップ３６０２）。新規体データがない場合（ステップ３６０２）は、後記ステップ３６０５へ進む。
次に新規体データがある場合は（ステップ３６０２）、体データ取得プログラムにより接続検知ステップ３６０１にて接続されている状態で体データを取得する体データ取得ステップを実行する（ステップ３６０３）。
【０１４３】
次に体データ記録プログラムにより体データ取得ステップ３６０３にて取得した体データを記録する体データ記録ステップを実行する（ステップ３６０４）。
【０１４４】
次に会話データ選択プログラムにより接続検知ステップにて接続を検知した場合（ステップ３６０１）に保持されている会話データを選択する会話データ選択ステップを実行する（ステップ３６０５）。ここで、取得体データ依存会話データ選択サブプログラムにより取得された体データに基づいて会話データを選択する取得体データ依存会話データ選択サブステップを実行する（ステップ３６０６）。
次に画像データ選択プログラムにより接続検知ステップにて接続を検知した場合（ステップ３６０１）に保持されている画像データを選択する画像データ選択ステップを実行する（ステップ３６０７）。ここで、取得体データ依存画像データ選択サブプログラムにより取得された体データに基づいて画像データを選択する取得体データ依存画像データ選択サブステップを実行する（ステップ３６０８）。
【０１４５】
次に会話データ出力プログラムにより会話データ選択ステップ３６０５、３６０６にて選択された会話データを接続から所定時間内に出力する会話データ出力ステップを実行する（ステップ３６０９）。
次に画像データ出力プログラムにより画像データ選択ステップ３６０７，３６０８にて選択された画像データを体データ取得デバイスとの接続から所定時間内に出力する画像データ出力ステップを実行する（ステップ３６１０）。
次に属性関連付プログラムにより取得した会話データ又は／及び取得した画像データを分析して属性情報を関連付ける属性関連付ステップを実行する（ステップ３６１１）。
以上の処理を終了するまで行う（ステップ３６１２）。
【０１４６】
終了しない場合（ステップ３６１２）、会話データの選択があったときは（ステップ３６１２）、ステップ３６０５〜３６１１を繰り返す。会話データの選択がなかったときは（ステップ３６１２）、接続検知ステップ３６０１に戻る。
＜実施形態１０  効果＞
【０１４７】
このように、実施形態１０によれば、実施形態９に加え、会話―データ又は画像データに関連付けられている属性情報に応じて会話―データや画像データを選択するので、高齢者等識別が可能となるので、複数の高齢者等の見守りが行えるようになる。
＜実施形態１１＞  
＜実施形態１１  概要＞
【０１４８】
実施形態１１の高齢者等見守システムは、体データ取得デバイスを備え、体データ取得デバイスの接続を検知すると、選択された会話データを接続から所定時間内に出力するようにしたものである。
＜実施形態１１  構成＞
【０１４９】
図３７に示すように、実施形態１１の高齢者等見守システム３７００は、接続部３７０１と、体データ取得部３７０２と、履歴体データ保持部３７０３と、体データ出力部３７０４と、接続検知部３７０５と、会話データ保持部３７０６と、会話データ選択部３７０７と、会話データ出力部３７０８とを有し、さらに体データ取得デバイス３７１０を有する。
＜実施形態１１  構成の説明＞
【０１５０】
「体データ取得デバイス」３７１０は、体データを体から取得する。
【０１５１】
体データ取得デバイス３７１０としては、活動量計（歩数計）、体温計、血圧計、脈拍計、体重計、加速度センサ、血糖値計、パルスオキシメータ（酸素濃度計）、呼吸測定器、発汗測定器などが挙げられ、高齢者等の身体装着型で常時情報を収集したり、朝、昼、夜などや起床時、食事時、就寝時などに体データを取得することができる。
以下、実施形態１１の高齢者等見守システムの作用について説明する。
＜実施形態１１  作用：ハードウェア的構成＞
【０１５２】
図３８に示すように、高齢者等見守システムの計算機の構成は、ＣＰＵ３８０１と、ＨＤＤ、ＲＯＭ等の不揮発性メモリ３８０２と、Ｄ−ＲＡＭ等の主メモリ３８０３と、インターフェース３８０４とから構成されている。不揮発性メモリ３８０２には接続プログラム、体データ取得プログラム、履歴体データ保持プログラム、体データ出力プログラム、接続検知プログラム、会話データ保持プログラム、会話データ選択プログラム、会話データ選択プログラム等のプログラム格納されている。データとしては、体データ、取得体データ、過去取得体データ、会話データ１，２，３・・・などがある。これらのプログラムやデータは、主メモリ３８０３の保持領域に読み込まれ、作業領域で実行される。また、インターフェース３８０４には、接続インターフェース３８０５、体データを取得するための体データ取得インターフェース３８０６、体データ出力インターフェース３８０７、接続検知インターフェース３８０８、会話データ出力インターフェース３８０９などがある。体データ取得インターフェース３８０６には、体データ取得デバイス３８１０が接続され、会話データ出力インターフェース３８０９には、スピーカ３８１２が接続されている。スピーカ３８１２は、装置に内蔵させたり、別体の装置を有線接続や、段落［００３３］に述べたような近距離無線通信接続により構成しても良い。
【符号の説明】
【０１５３】
０１００  高齢者等見守システム
０１０１  接続部
０１０２  体データ取得部
０１０３  履歴体データ保持部
０１０４  体データ出力部
０１０５  接続検知部
０１０６  会話データ保持部
０１０７  会話データ選択部
０９０１  ＣＰＵ
０９０２  不揮発性メモリ
０９０３  主メモリ
０９０４  インターフェース
０９０５  接続インターフェース
０９０６  体データ取得インターフェース
０９０７  体データ出力インターフェース
０９０８  接続検知インターフェース
０９０９  会話データ出力インターフェース
０９１０  スピーカ
１００３  体データ取得ステップ
１００４  体データ記録ステップ
１００５  会話データ選択ステップ
１００６  会話データ出力ステップ
【図１】
2020177383.tif 000003
【図２】
2020177383.tif 000004
【図３】
2020177383.tif 000005
【図４】
2020177383.tif 000006
【図５】
2020177383.tif 000007
【図６】
2020177383.tif 000008
【図７】
2020177383.tif 000009
【図８】
2020177383.tif 000010
【図９】
2020177383.tif 000011
【図１０】
2020177383.tif 000012
【図１１】
2020177383.tif 000013
【図１２】
2020177383.tif 000014
【図１３】
2020177383.tif 000015
【図１４】
2020177383.tif 000016
【図１５】
2020177383.tif 000017
【図１６】
2020177383.tif 000018
【図１７】
2020177383.tif 000019
【図１８】
2020177383.tif 000020
【図１９】
2020177383.tif 000021
【図２０】
2020177383.tif 000022
【図２１】
2020177383.tif 000023
【図２２】
2020177383.tif 000024
【図２３】
2020177383.tif 000025
【図２４】
2020177383.tif 000026
【図２５】
2020177383.tif 000027
【図２６】
2020177383.tif 000028
【図２７】
2020177383.tif 000029
【図２８】
2020177383.tif 000030
【図２９】
2020177383.tif 000031
【図３０】
2020177383.tif 000032
【図３１】
2020177383.tif 000033
【図３２】
2020177383.tif 000034
【図３３】
2020177383.tif 000035
【図３４】
2020177383.tif 000036
【図３５】
2020177383.tif 000037
【図３６】
2020177383.tif 000038
【図３７】
2020177383.tif 000039
【図３８】
2020177383.tif 000040
【図３９】
2020177383.tif 000041
【図４０】
2020177383.tif 000042